(57)【要約】【課題】  給湯・給水の配管の系統をより簡素化し、システムバスの施工者と建物の設備工事者が相談しなくても、システムバスの施工者により全ての配管接続の施工を行うことができる浴室の給湯・給水構造を提供する。【解決手段】  本願発明の浴室の給湯・給水構造は、浴槽側床パン２２に開口部２５を設け、床面から立ち上げられ浴槽側床パン２２に導入された給湯・給水用設備配管２４Ａ、２４Ｂの一部を分岐して洗い場用の給湯・給水用設備配管２８Ａ、２８Ｂとし、該洗い場用の給湯・給水用設備配管を前記開口部２５を介して洗い場側床パン２３の下方まで床下配設し、さらに洗い場側に立ち上げることにより、１系統の給湯・給水系としたものである。【選択図】図１
2006177033.tif 000002
【特許請求の範囲】
【請求項１】
浴槽側床パンに開口部を設け、床面から立ち上げられ浴槽側床パンに導入された給湯・給水用設備配管の一部を分岐して洗い場用の給湯・給水用設備配管とし、該洗い場用の給湯・給水用設備配管を前記開口部を介して洗い場側床パンの下方まで床下配設し、さらに洗い場側に立ち上げることにより、１系統の給湯・給水系としたことを特徴とする浴室の給湯・給水構造。
【請求項２】
床面から立ち上げられた給湯・給水用設備配管を導入するための第１の筒部と、分岐させた洗い場用の給湯・給水用設備配管を挿通させるための第２の筒部を設けた配管導入部材を、浴槽側床パンの開口部に設けたことを特徴とする請求項１に記載の浴室の給湯・給水構造。
【発明の詳細な説明】
【技術分野】
【０００１】
本願発明は、浴室の給湯・給水構造に関し、より詳しくは、浴槽側床パンと洗い場側床パンを備える浴室床パンを用いたシステムバスにおける給湯・給水構造に関するものである。
【背景技術】
【０００２】
近年、浴槽側床パンと洗い場側床パンを備える浴室床パンを用いたシステムバスが広く普及してきている。このようなシステムバスにおける従来の給湯・給水構造を図３に模式的に示す。
【０００３】
システムバス３１の浴室床パン３２は、通常、浴槽側床パン３３と洗い場側床パン３４を連結して構成されており、浴槽側の給湯・給水用設備配管３５と洗い場側の給湯・給水用設備配管３６がそれぞれ配設されている。この両者の給湯・給水用設備配管３５、３６を施工する場合、システムバスの施工者がシステムバスの工事区分である給湯・給水用設備配管３５、３６を、建物の設備配管３７との接続部分まで配設し、その後、建物の設備工事者が給湯・給水用設備配管３５、３６と建物の設備配管３７をそれぞれ接続していた。
【０００４】
また、カウンタータイプの洗い場を有するシステムバスや、配管隠し部材がなくシステムバス内で浴槽側と洗い場側に配管分岐できないタイプのシステムバスでは、浴槽側の給湯・給水用設備配管３５と洗い場側の給湯・給水用設備配管３６は別々に立ち上げられていた。
【発明の開示】
【発明が解決しようとする課題】
【０００５】
しかしながら、図３に示すような従来の給湯・給水構造では、洗い場側（２本）と浴室側（２本）の２系統の配管が必要であり、給湯・給水系の簡素化が望まれていた。
【０００６】
また、従来の給湯・給水構造の施工に際して、システムバスの施工者と建物の設備工事者が、どのような形態で配管の施工を行うか事前に相談して工事を行う必要があった。
【０００７】
そこで、本願発明は、以上のとおりの事情に鑑みてなされたもので、給湯・給水の配管の系統をより簡素化し、システムバスの施工者と建物の設備工事者が相談しなくても、システムバスの施工者により全ての配管接続の施工を行うことができる浴室の給湯・給水構造を提供することを課題とする。
【課題を解決するための手段】
【０００８】
本願発明の浴室の給湯・給水構造は、上記課題を解決するため、第１には、浴槽側床パンに開口部を設け、床面から立ち上げられ浴槽側床パンに導入された給湯・給水用設備配管の一部を分岐して洗い場用の給湯・給水用設備配管とし、該洗い場用の給湯・給水用設備配管を前記開口部を介して洗い場側床パンの下方まで床下配設し、さらに洗い場側に立ち上げることにより、１系統の給湯・給水系としたことを特徴とする。
【０００９】
また、第２には、上記第１の発明において、床面から立ち上げられた給湯・給水用設備配管を導入するための第１の筒部と、分岐させた洗い場用の給湯・給水用設備配管を挿通させるための第２の筒部を設けた配管導入部材を、浴槽側床パンの開口部に設けたことを特徴とする。
【発明の効果】
【００１０】
請求項１の発明によれば、上記構成とすることにより、給湯、給水各１本の１系統の給湯・給水系で洗い場側と浴槽側の両方の給湯・給水用設備配管の配設が可能となる。また、配管接続部が全てシステムバス内部であるため、建物の設備工事者と相談なしに、システムバスの施工者により全ての配管接続の施工を行うことが可能となる。さらに、配管接続部が全てシステムバス内部であるため、エプロンの構造（従来は室内配管を貫通させるための開口が必要であり、またエプロンの分割を必要としていた）や洗い場のカウンターの構造（従来は入浴者に室内配管が見えないようにしていた）の制約がなくなり、デザインを検討する上で自由度が広がり、商品特長上、非常に有利となる。
【００１１】
請求項２の発明によれば、第１の筒部と第２の筒部を有する配管導入部材を用いることにより、給湯・給水用設備配管の導入ないし挿通の施工を大きな位置の自由度で容易に行うことができる。
【発明を実施するための最良の形態】
【００１２】
本願発明は上記のとおりの特徴をもつものであるが、以下にその実施の形態について説明する。
【００１３】
図１は、本願発明による浴室の給湯・給水構造の一実施形態を模式的に示す部分側断面図、図２は、上記実施形態において使用する配管導入部材を模式的に示す斜視図である。
【００１４】
まず、図２を参照して本実施形態の浴室の給湯・給水構造で用いる配管導入部材１について説明する。配管導入部材１は、平面形状が長方形の蓋状本体２を有し、蓋状本体２は若干上方に突出した基台部３とその周囲に延設された取付部４を有する。取付部４には複数の取付用孔５が形成されている。また、基台部３には、開口６Ａ、６Ｂを有する径大の第１の筒部７Ａ、７Ｂと径小筒部用基台８が一体に設けられ、径小筒部用基台８上にはさらに開口９Ａ、９Ｂ、９Ｃ、９Ｄを有する径小の第２の筒部１０Ａ、１０Ｂ、１０Ｃ、１０Ｄが一体に設けられている。１対の第１の筒部７Ａ、７Ｂは床面から立ち上げられた給湯・給水用設備配管（図１の２４Ａ、２４Ｂ）を導入するためのものであり、１対の第２の筒部１０Ａ、１０Ｂは分岐させた洗い場用の給湯・給水用設備配管（図１の２８Ａ、２８Ｂ）を挿通させるためのものであり、もう１対の第２の筒部１０Ｃ、１０Ｄは追焚用設備配管を導入するためのものである。
【００１５】
基台部３、第１の筒部７Ａ、７Ｂ、径小筒部用基台８、第２の筒部１０Ａ、１０Ｂ、１０Ｃ、１０Ｄを有する蓋状本体２は、たとえばＳＭＣ（Sheet Molding Compound）、ＡＢＳやＦＲＰ等の樹脂、メッキ鋼、アルミニウム、ステンレス鋼（ＳＵＳ）等の硬質材により一体に形成されている。
【００１６】
第１の筒部７Ａ、７Ｂの径と、第２の筒部１０Ａ、１０Ｂ、１０Ｃ、１０Ｄの径の大きさは、給湯・給水用設備配管（図１の２４Ａ、２４Ｂ）、分岐させた洗い場用の給湯・給水用設備配管（図１の２８Ａ、２８Ｂ）、追焚用設備配管の径を考慮して設定される。一般に、床面から立ち上げられた給湯・給水用設備配管は強固な構造となっており、配管接続における位置の自由度が低いため径大の第１の筒部７Ａ、７Ｂから導入する。一方、分岐させた洗い場用の給湯・給水用設備配管及び追焚用設備配管は、柔軟な構造のものを使用しており、配管接続における自由度があるので径小の第２の筒部１０Ａ、１０Ｂ、１０Ｃ、１０Ｄから導入する。
【００１７】
第２の筒部１０Ａ、１０Ｂ、１０Ｃ、１０Ｄの下に径小筒部用基台８を設けた理由は次の通りである。すなわち、第２の筒部１０Ａ、１０Ｂ、１０Ｃ、１０Ｄの下に径小筒部用基台８を設けない場合は、これら第２の筒部１０Ａ、１０Ｂ、１０Ｃ、１０Ｄの下方の４つの円形状部分の真下から配管を導入しなければならず、結果として配管のための空間を多く確保する必要が生じてくる。ところが、第２の筒部１０Ａ、１０Ｂ、１０Ｃ、１０Ｄの下に径小筒部用基台８を設けると、そこに配管のための空間的余裕ができ、水平に近い状態で配設されてきた配管を第２の筒部１０Ａ、１０Ｂ、１０Ｃ、１０Ｄに導入しやすく、配管の屈曲部がＲでもよいことになり、さらに、その径小筒部用基台８のある部分は、洗い場に近く、清掃時に水が掛かり易いため、少しでも高い位置に止水ラインを設ける方が有利となるからである。
【００１８】
次に、上記構成の配管導入部材１を用いた本実施形態の浴室の給湯・給水構造について説明する。図１に示すように、浴室の床パン２１は浴槽側床パン２２と洗い場側床パン２３を連結して構成されている。給湯・給水用設備配管２４Ａ、２４Ｂは床面から立ち上げられて設置されている。配管導入部材１は、浴槽側床パン２２の下板部２２ａに形成された開口部２５を覆うようにビス止め等の固定手段で浴槽側床パン２２に固定されている。配管導入部材１の第１の筒部７Ａ、７Ｂ及び第２の筒部１０Ａ、１０Ｂ、１０Ｃ、１０Ｄの上方において、浴槽側床パン２２の上板部２２ｂには、貫通孔２６、２７が形成されている。そして、給湯・給水用設備配管２４Ａ、２４Ｂは貫通孔２６より引き出されている。引き出された給湯・給水用設備配管２４Ａ、２４Ｂにはさらに浴槽側の設備配管（図示せず）が接続されるとともに、一部は洗い場用の給湯・給水用設備配管２８Ａ、２８Ｂとして分岐している。これらの洗い場用の給湯・給水用設備配管２８Ａ、２８Ｂは、浴槽側床パン２２の上板部２２ｂに形成された貫通孔２７及び配管導入部材１の第２の筒部１０Ａ、１０Ｂを挿通し、洗い場側床パン２３の下方適所まで床下配設され、そこから貫通孔２９の所で固定され、洗い場側に立ち上げられている。一方、第２の筒部１０Ｃ、１０Ｄは、図示しない追焚用設備配管を導入するようになっている。
【００１９】
次に、本実施形態の浴室の給湯・給水構造の施工について述べる。
【００２０】
本実施形態においては、給湯・給水用設備配管２４Ａ、２４Ｂは、浴室の施工前に建物の設備工事者があらかじめ設置しておくものとする。
【００２１】
まず、床パン２１の施工を行うが、先に洗い場側床パン２３の設置を行う。図１に示すように、洗い場用の給湯・給水用設備配管２８Ａ、２８Ｂの各一端を、洗い場側床パン２３に形成した貫通孔２９の所で固定し、洗い場側での配管立ち上げを行う。洗い場用の給湯・給水用設備配管２８Ａ、２８Ｂの各他端は、浴槽側の適所まで延ばして、図１の２点鎖線で示すように、床下に転がしておく。
【００２２】
次に、浴槽側床パン２２の下板部２２ａを設置するが、その際、下板部２２ａに形成された開口部２５を給湯・給水用設備配管２４Ａ、２４Ｂが挿通するように、設置を行う。その後、床下に転がしておいた洗い場用の給湯・給水用設備配管２８Ａ、２８Ｂの各他端を、下板部２２ａの開口部２５から引き上げ、配管導入部材１の第２の筒部１０Ａ、１０Ｂの下から上へ挿通させ、取り出す。この際、追焚用設備配管の第２の筒部１０Ｃ、１０Ｄへの挿通、取出も行う。そして、配管導入部材１の第１の筒部７Ａ、７Ｂを給湯・給水用設備配管２４Ａ、２４Ｂが挿通するようにして、浴槽側床パン２２の下板部２２ａに形成された開口部２５に、配管導入部材１をビス等の固定手段で固定する。その後、配管導入部材１の第１の筒部７Ａ、７Ｂを挿通した給湯・給水用設備配管２４Ａ、２４Ｂが浴槽側床パン２２の上板部２２ｂに形成された貫通孔２６をさらに挿通するとともに、洗い場用の給湯・給水用設備配管２８Ａ、２８Ｂ及び追焚用設備配管の所要部分が、浴槽側床パン２２の上板部２２ｂに形成された貫通孔２７を挿通するように、上板部２２ｂを設置する。
【００２３】
ここで、給湯・給水用設備配管２４Ａ、２４Ｂの導入にあたり、第１の筒部７Ａ、７Ｂが径大であることから、配管接続のときの位置のばらつき、径のばらつきが吸収され、給湯・給水用設備配管２４Ａ、２４Ｂが位置の自由度の低いものであるにも拘わらず、容易にその導入を行うことができる。また、洗い場用の給湯・給水用設備配管２８Ａ、２８Ｂ及び追焚用設備配管は柔軟な構造のものを使用するようにしているため径小の第２の筒部１０Ａ、１０Ｂ、１０Ｃ、１０Ｄでも容易にその導入が可能であり、しかも第２の筒部１０Ａ、１０Ｂ、１０Ｃ、１０Ｄが硬質材製であることから配管固定部材などが不要である。
【００２４】
その後、さらに給湯・給水用設備配管２４Ａ、２４Ｂに対する浴槽側の配管（図示せず）の接続を行うとともに、導入しておいた洗い場用の給湯・給水用設備配管２８Ａ、２８Ｂに対する分岐接続も併せて行う。また、追焚用設備配管の接続も行う。これにより、配管の施工を完了する。
【００２５】
本実施形態によれば、第２の筒部１０Ａ、１０Ｂを介して洗い場用の給湯・給水用設備配管２８Ａ、２８Ｂを床下配設し、洗い場側へ立ち上がるようにしたので、全体として、給湯・給水系を１系統のものにすることができる。また、配管接続部が全てシステムバス内部であるため、建物の設備工事者と相談なしに、全ての配管接続の施工をシステムバス工事で行うことができる。その結果、上述のように、エプロンの構造や洗い場のカウンターの構造の制約がなくなり、デザインを検討する上で自由度が広がり、商品特長上、非常に有利となる。
【００２６】
以上、本願発明を一実施形態に基づいて説明したが、もちろん本願発明はこの実施形態に限定されるものではなく、種々の変形、変更が可能である。
【００２７】
特に、配管導入部材は上記のものに限定されず、各種の構造のものを使用することができる。
【図面の簡単な説明】
【００２８】
【図１】本願発明による浴室の給湯・給水構造の一実施形態を模式的に示す部分側断面図である。
【図２】上記実施形態において使用する配管導入部材を模式的に示す斜視図である。
【図３】従来のシステムバスにおける給湯・給水構造を模式的に示す斜視図である。
【符号の説明】
【００２９】
１    配管導入部材
２    蓋状本体
３    基台部
７Ａ、７Ｂ    第１の筒部
８    径小筒部用基台
１０Ａ、１０Ｂ、１０Ｃ、１０Ｄ    第２の筒部
２１    床パン
２２    浴槽側床パン
２２ａ    下板部
２２ｂ    上板部
２３    洗い場側床パン
２４Ａ、２４Ｂ    給湯・給水用設備配管
２５    開口部
２６、２７、２９    貫通孔
２８Ａ、２８Ｂ    洗い場用の給湯・給水用設備配管
【図１】
2006177033.tif 000003
【図２】
2006177033.tif 000004
【図３】
2006177033.tif 000005